(57)【要約】【課題】通常の略平坦なスラットを備えるブラインドにおいて、スラット面から光を透過させることができ、且つ完全に光を遮蔽することもできるようにする。【解決手段】ヘッドボックス１０から垂下するラダーコード１２によって略平坦なスラット１４が整列状態に支持され、ラダーコード１２の前後コードが相対移動することによってスラット群の傾斜が可変となり、各スラット１４にはスラット面から光を透過させるための多数の孔部１４ａが形成されており、各スラット１４の孔部１４ａが形成される位置は、上下に隣り合うスラット１４の孔部の位置と幅方向に異なっており、スラット１４が最大傾斜した全閉状態で各スラットの孔部１４ａが上下に隣り合うスラット１４の非孔部１４ｂに重なり合うようにスラット１４の上下のピッチが設定される。【選択図】図５
2008050843.tif 000002
【特許請求の範囲】
【請求項１】
ヘッドボックス（１０）から垂下するラダーコード（１２）によって略平坦なスラット（１４）が整列状態に支持され、ラダーコード（１２）の前後のコードが互いに相対移動することによってスラット群の傾斜が可変となり、各スラット（１４）にはスラット面から光を透過させるための多数の孔部（１４ａ）が形成されるブラインドにおいて、
各スラットの孔部が形成される位置は、上下に隣り合うスラットの孔部の位置と幅方向に異なっており、スラットが最大傾斜した全閉状態で各スラットの孔部（１４ａ）が上下に隣り合うスラットの非孔部（１４ｂ）に重なり合うようにスラットの上下方向のピッチが設定されることを特徴とするブラインド。
【請求項２】
各スラット（１４）の孔部（１４ａ）の位置は、上下方向に一段おきのスラット（１４）の孔部（１４ａ）の位置と同一であることを特徴とする請求項１記載のブラインド。
【発明の詳細な説明】
【技術分野】
【０００１】
本発明は、ヘッドボックスから垂下するラダーコードによってスラットが整列状態に支持され、各スラットにスラット面から光を透過させるための多数の孔部が形成されるブラインドに関する。
【背景技術】
【０００２】
従来のこの種のブラインドとしては、スラットに多数の孔部が形成されたパンチングスラットブラインドが知られている。このパンチングスラットブラインドでは、各スラットに形成された孔部から光を採り入れることができ、半透過性効果を与えることができるものの、完全に光を遮蔽することができず、ブラインド本来が持つべき遮蔽性が悪い、という問題がある。
【０００３】
これに対して、特許文献１に記載されたブラインドがあり、このブラインドでは、各スラットを山形断面を持つものとし、山形の頂点からスラットの一方の縁部に至る第１の部分を多数の小孔をあけた光半透過性部分とし、山形の頂点からスラットの他方の縁部に至る第２の部分を無孔の光非透過性部分としている。
【０００４】
スラットの前記第１の部分が垂直になるようにスラットを回転させれば、小孔から光を採り入れることができる光半透過型ブラインドとして使用でき、前記第２の部分が垂直になるようにスラットを反対方向に回転させれば、完全に光を遮蔽する光非透過型ブラインドとして使用することができる。
【０００５】
【特許文献１】特公平７−１２２３８４号公報
【発明の開示】
【発明が解決しようとする課題】
【０００６】
しかしながら、特許文献１のブラインドの構成では、スラットが特殊な山形断面を持つことから、スラットをどのように回転させたとしても、ブラインドの向こう側を見たときの開放感が十分でなく、またスラットを回転させることにより微妙な光のコントロールを行うことが難しいという問題がある。また、スラットは弾性がなく座屈しやすく、操作中にスラットを引っ掛けたり、昇降中に窓枠や家具等に接触したりして、スラットが折れ曲がりやすいという問題がある。
【０００７】
本発明はかかる課題に鑑みなされたもので、その目的は、通常の略平坦なスラットを備えるブラインドにおいて、スラット面から光を透過させることができ、且つ完全に光を遮蔽することができるブラインドを提供することである。
【課題を解決するための手段】
【０００８】
前述の目的を達成するために、請求項１記載の発明は、ヘッドボックスから垂下するラダーコードによって略平坦なスラットが整列状態に支持され、ラダーコードの前後のコードが互いに相対移動することによってスラット群の傾斜が可変となり、各スラットにはスラット面から光を透過させるための多数の孔部が形成されるブラインドにおいて、
各スラットの孔部が形成される位置は、上下に隣り合うスラットの孔部の位置と幅方向に異なっており、スラットが最大傾斜した全閉状態で各スラットの孔部が上下に隣り合うスラットの非孔部に重なり合うようにスラットの上下方向のピッチが設定されることを特徴とする。
【０００９】
請求項２記載の発明は、請求項１記載の各スラットの孔部の位置が、上下方向に一段おきのスラットの孔部の位置と同一であることを特徴とする。
【発明の効果】
【００１０】
本発明によれば、スラットのスラット面が水平またはやや水平から傾斜するように回転させると、スラットが略平坦な通常のブラインドと同様の開放感が得られる。また、スラットを回転させると、その傾斜角度に応じて上下に隣り合うスラットと重なり合わない範囲における孔部から光を採り入れることができる。そして、傾斜角度に応じて採り入れる光の微妙なコントロールを行うことができる。さらには、スラットを最大傾斜した状態まで回転させると、スラットが上下に隣り合うスラットとの間で重なり合い、このとき、一方のスラットの孔部が他方のスラットの非孔部に重なり合うために、孔部を非孔部で遮蔽することができ、スラット群で形成されるブラインド面で完全に光を遮蔽することができる。
【００１１】
請求項２記載の発明によれば、上下方向に一段おきに同じスラットを用いることができるようになるため、スラットの種類を増加させることのないようにして、部品製造コスト及び部品管理コストの増加を防ぐことができる。
【発明を実施するための最良の形態】
【００１２】
以下、図面を用いて本発明の実施の形態を説明する。
図１は本発明の実施形態に係るブラインドを表す斜視図、図２は正面図である。図において、ブラインドは窓枠等の固定部にブラケットを介して取り付けられるヘッドボックス１０を備えている。ヘッドボックス１０からはラダーコード１２が垂下される。
【００１３】
ラダーコード１２は垂直に伸びる前後コードと前後コードを連結する複数の中段コードからなり、各中段コードにスラット１４が載置され、ラダーコード１２の下端にはボトムレール１６が連結される。このラダーコード１２によりスラット１４が整列状態で支持される。
【００１４】
各スラット１４の断面形状は、一般的な横型ブラインドにおいて使用される略平坦な形状であり、矢高のあるＣ形形状をなしている。但し、必ずしもこのＣ形形状に限ることなく、矢高が０となった全く平坦な形状でもよく、いずれにしても断面形状において角部は存在していない。ある程度、矢高の存在するＣ形形状であると、弾性があり座屈しにくいのでより好ましい。
【００１５】
各スラット１４のスラット面には、スラット面から光を透過させるための多数の孔部１４ａが形成されている。孔部１４ａはスラット面全体で分散するように形成されているものの、孔部１４ａが形成される位置は、上下に隣り合うスラット１４の孔部１４ａが形成される位置と幅方向にずれている。あるスラット１４の孔部１４ａが形成される幅方向位置に対応する上下に隣り合うスラット１４の幅方向位置は、孔部でない非孔部１４ｂとなっている。この場合、上下方向に一段おきに配置されるスラット１４同士の孔部１４ａの位置は同じとすることができ、図２に示すように、使用するスラットの種類は上から奇数番目用のスラットと上から偶数番目用のスラットとの２種類のみとし、徒にスラットの種類を増加させることのないようにして、部品製造コスト及び部品管理コストの増加を防ぐことができる。
【００１６】
また、スラット１４には、孔部１４ａの他に昇降コード挿通用の孔部１４ｃが形成されている。この孔部１４ｃの位置は、孔部１４ａとは異なり全てのスラット１４において同じである。
【００１７】
ヘッドボックス１０からは昇降コード１８が垂下されており、各スラット１４の前記孔部１４ｃを挿通して、その下端はボトムレール１６に連結される。
【００１８】
ヘッドボックス１０内には、公知の昇降コード昇降機構及びラダーコード傾動機構が内蔵され、これらはヘッドボックス１０から垂下される操作コード２０が操作されることによって作動される。昇降コード昇降機構は昇降コード１８を昇降させ、任意の高さで停止させるものであり、ラダーコード傾動機構はラダーコード１２の前後コードの相対位置を変化させて、任意の相対位置で停止させるものである。
【００１９】
以上のように構成されるブラインドにおいて、スラット群が水平になるように、即ち、各スラット１４のスラット面が水平になる全開状態においては、上下に隣り合うスラット１４の間からブラインドの向こう側が見えて、光を十分に採り入れることができ、開放感を与えることができる。
【００２０】
ラダーコード傾動機構を作動させてラダーコード１２の前後コードを相対移動させることにより中段コードが傾動し、スラット１４の傾斜が可変となる。図３及び図４に示すように、スラット１４が傾斜したときに、スラット１４に形成された孔部１４ａの中で、上下に隣り合うスラット１４と重なり合わない部分に存在する孔部１４ａから光が透過し、やさしい光を採り入れることができる。スラット１４の傾斜角度に応じてこの重なり合わない部分に存在する孔部１４ａの数、即ち、孔部面積が変わるため、採り入れることのできる光の微妙なコントロールを行うことができる。
【００２１】
スラット１４を最大の角度まで傾斜させた全閉状態になったときに、図５及び図６に示すように、各スラット１４に形成された孔部１４ａは、必ず上下に隣り合うスラット１４の非孔部１４ｂと重なり合うように、スラット１４の上下のピッチが設定されている。即ち、各スラット１４に対して、上半分が上側に隣り合うスラット１４に重なり合い、下半分が下側に隣り合うスラット１４に重なり合っている。また、最上部のスラット１４に関しては、上半分がヘッドボックス１０から下方に延設される板部１０ａに重なり合っており、最下部のスラット１４に関しては、下半分がボトムレール１６に重なり合っている。このため、各スラット１４の孔部１４ａを上下に隣り合うスラットの非孔部１４ｂで遮蔽することができ、スラット群で形成されるブラインド面で完全に光を遮蔽することができる。
【００２２】
こうして、本発明のブラインドでは、一般的な略平坦なスラット１４の孔部１４ａから光を採り入れることができ、完全に遮蔽することもできる。略平坦なスラットを使っているので、弾性、座屈に関して一般的なブラインドと同等とすることができる。
【図面の簡単な説明】
【００２３】
【図１】本発明の実施形態に係るブラインドを表す斜視図である。
【図２】（ａ）上から奇数番目と（ｂ）上から偶数番目のスラットのそれぞれの平面図である。
【図３】スラットが４５度傾斜したときの平面図である。
【図４】スラットが４５度傾斜したときの側面図及び一部拡大断面図である。
【図５】スラットが最大傾斜したときの平面図である。
【図６】スラットが最大傾斜したときの側面図及び一部拡大断面図である。
【符号の説明】
【００２４】
１０  ヘッドボックス
１２  ラダーコード
１４  スラット
１４ａ  孔部
１４ｂ  非孔部
【図１】
2008050843.tif 000003
【図２】
2008050843.tif 000004
【図３】
2008050843.tif 000005
【図４】
2008050843.tif 000006
【図５】
2008050843.tif 000007
【図６】
2008050843.tif 000008